(57)【特許請求の範囲】
【請求項１】
放送波又は標準電波などの信号源から現在時刻情報を受け取る電波受信部と、
時計装置の時刻管理を行う時刻管理部と、
前記電波受信部から得られた現在時刻情報と前記時刻管理部から得られる時計装置内の現在時刻情報との比較に基づいてローカル時間オフセット設定の変更有無の判定を行うローカル時間判定部と、
前記ローカル時間判定部により変更有りと判定された場合に自動的に時刻調整を行う時刻調整部と、から構成される時計装置であって、
前記ローカル時間判定部は、前記電波受信部からの現在時刻情報と前記時計装置からの現在時刻情報との比較に際して、前記ローカル時間オフセット設定の変更が実施される所定の時間の前後に亘って比較し、両時刻情報の時間差がローカル時間変更の時間差に相当する場合に、ローカル時間オフセット設定の変更有りと判定する
ことを特徴とするローカル時間オフセット設定機能付きの時計装置。
【発明の詳細な説明】
【０００１】
【発明の属する技術分野】
本発明は、夏時間（サマータイム）制度実施時などにおけるローカル時間のオフセット変更の判定、及びその機能を有する機器に関するものである。
【０００２】
【従来の技術】
本発明において、ローカル時間とは、夏時間制度実施などにおけるオフセット（日本標準時（ＪＳＴ）に対して差分が生じる）を考慮する時間のことを指す。ゆえに、夏時間制度が実施されて、それによってＪＳＴより１時間時刻を早めると考える時、ＪＳＴにおける午前８時は、ローカル時間では午前９時となる。
【０００３】
また、夏時間制度時でなければ、ローカル時間はＪＳＴと同じく午前８時となる。また、ローカル時間オフセット設定とは、オフセットを考慮して現在時刻を算出する時のオフセットの設定内容のことを指す。
【０００４】
標準時間と夏時間との時刻のオフセット設定の変更を自動的に行う方法に関する発明は様々考えられてきた。特開平９−２７４０９０号公報では、メモリに記憶された夏時間への切り替わり日時データに基づき、送信側から送信される時刻データをマイコンにて照合する。マイコン内のカレンダにて夏時間への切り替わり日の数日前から照合する時間を１時間ずらして照合を行う。したがって、この方法により、夏時間への切り替わりの有無を検出できるほか、検出した時点で修正を行える。また、夏時間終了時にも同様に修正を行う。
【０００５】
また、特開平７−３２５１７５号公報では、ＮＨＫ教育テレビなどの時報を用いて時刻設定の切り替えを行う。この時報は、１日３回（７時、１２時、１９時など）流れるものを利用する。時報を用いて、時間設定の変更の検出は、現在時の検出用、標準時聞から夏時間へ移行したものの検出用、夏時間から標準時間へ移行したものの検出用と３つの検出部を設け、それぞれ１時間の間を開けておき、それぞれの検出部において時報を得ることができたら、それに伴う時刻修正を行うものである。
【０００６】
更に、特開平７−７７５８７号公報では、放送波にある現在時刻が夏時間か否かの情報を持たせたデータを用いて、標準時間と夏時間の判定を行い、時刻修正を行うものである。
【０００７】
【発明が解決しようとする課題】
従来技術の時計装置であると、特開平９−２７４０９０号公報の手法でローカル時間オフセット変更判定を行うと、メモリに夏時間への切り替わり情報を事前に何らかの形で入力しておかないと動作しない。この手法であると、ユーザによる操作入力や時計装置出荷時にメモリしておくなどが考えられるが、ユーザによる間違い操作、また、夏時間制度の実施の際に起こる変動に的確に対処できないことが起こり得る。
【０００８】
また、特開平７−３２５１７５号公報では、１日に決められた時刻の３回の時報を基にローカル時間オフセット判定を行っているので、実時間においてローカル時間の設定を行うことができない。また、１時間の差をつけるという固定してしまうところにも、夏時間制度の実施形態の変更の際に起こる変動（３０分のオフセット、２時間のオフセットなど）に的確に対処できないことが起こり得る。
【０００９】
更に、特開平７−７７５８７号公報では、放送波が現在時刻が夏時間か否かの情報を持っていればよいが、その他の信号源がその情報を持たずに現在時刻情報を送るものには適応することができない。
【００１０】
【課題を解決するための手段】
前記課題を解決するために、本発明は次のような構成を採用する。
放送波又は標準電波などの信号源から現在時刻情報を受け取る電波受信部と、
時計装置の時刻管理を行う時刻管理部と、
前記電波受信部から得られた現在時刻情報と前記時刻管理部から得られる時計装置内の現在時刻情報との比較に基づいてローカル時間オフセット設定の変更有無の判定を行うローカル時間判定部と、
前記ローカル時間判定部により変更有りと判定された場合に自動的に時刻調整を行う時刻調整部と、から構成される時計装置であって、
前記ローカル時間判定部は、前記電波受信部からの現在時刻情報と前記時計装置からの現在時刻情報との比較に際して、前記ローカル時間オフセット設定の変更が実施される所定の時間の前後に亘って比較し、両時刻情報の時間差がローカル時間変更の時間差に相当する場合に、ローカル時間オフセット設定の変更有りと判定するローカル時間オフセット設定機能付きの時計装置。
【００１２】
【発明の実施の形態】
本発明の実施形態に係るローカル時間オフセット変更判定方法及び時計装置について、図面を用いて以下説明する。図１は信号源からの現在時刻情報に時系列的に不連続部分が生じている状況を示す図であり、図２はローカル時間オフセット変更の判定方法を説明する図であり、図３は時系列的な不連続部分の生じている現在時刻情報と夏時間時刻設定の関係を示す図であり、図４はローカル時間オフセット変更の判定方法を用いた時計装置の構成を示す図である。
【００１３】
本発明の実施形態は、信号源からの現在時刻情報と機器（時計装置）の保持する現在時刻情報を比較して、ローカル時間オフセット変更判定を行う方法であって、以下その方法を説明する。
【００１４】
放送波、標準電波などの信号源から送られてくる現在時刻情報は、常時電波として流れている。放送波のうち、ＢＳデジタル放送波は、ＪＳＴ時刻と修正ユリウス日による日付情報を電波にのせて発信している。また、標準電波は、時間と周波数の標準、並びに世界標準時（ＵＴＣ）に基づく日本標準時（ＪＳＴ）を広く国の内外に知らせるために、総務省通信総合研究所で運用している電波である。長波帯の標準電波では、時刻に関する情報としてタイムコードを送信している。タイムコード情報としては、時、分、通算日（１月１日を１とした通算の日）、年（西暦下２桁）、曜日、うるう秒情報、時と分に対応するパリティ、予備ビット、停波予告情報を送信している。
【００１５】
放送波、標準電波などの信号源から現在時刻情報を受け取る際、送られてくる現在時刻情報は、通常、時系列的に連続である。しかしながら、うるう秒や夏時間への変更に伴う時刻設定変更などによって、現在時刻情報に時系列的に不連続な部分が生じる場合がある。例えば、４月１日午前２時から１０月１日午前２時までの間は、夏時間制度が行われ、１時間ローカル時間を早めるとする。そうすると、４月１日の午前２時付近の信号源からの現在時刻情報は、図１に示すように不連続性をもつことになる。即ち、午前１時５９分から１分経過後に午前３時０分という現在時刻情報が送られてくる。
【００１６】
図２に示すチャート図に基づいて、ローカル時間オフセット変更の判定方法について説明する。ステップ１において、現在時刻情報を放送波、標準電波などの信号源から得る。次に、ステップ２において、ステップ１で得た現在時刻情報とその時点においての機器自身が持っている現在時刻情報を比較して差が無い場合には、ローカル時刻オフセット設定に変更はないと判断する。差が有る場合には、ステップ３のチェックに移る。
【００１７】
ステップ３においては、信号源から得られた現在時刻情報と、機器の保持していた現在時刻情報との時間差について判断する。３０分や１時間などローカル時間変更が行われたと考えることができる時間差（例えば、１０分や１７分程度の時間差では変更有りとは判断せず、３０分や６０分の時間差であれば変更有りと判断するというように、時間差の内容を判断材料とする）ならば、ローカル時間オフセット変更が実施されたと判断する。それ以外の時間差が見られる場合には、信号源のエラーやうるう秒などと考え、ローカル時間オフセット設定に変更はないと判断する。ここで、信号源のエラーというのは、現在時刻情報を送出する媒体には、放送波や標準電波などの電波を使ったものや、インターネットにおけるＮＴＰ（Ｎｅｔｗｏｒｋ  Ｔｉｍｅ  Ｐｒｏｔｏｃｏｌ）ｓｅｒｖｅｒやＳＮＴＰ（Ｓｉｍｐｌｅ  Ｎｅｔｗｏｒｋ  Ｔｉｍｅ  Ｐｒｏｔｏｃｏｌ）ｓｅｒｖｅｒなど様々なものがあるが、どの媒体においても間違った現在時刻情報を送るという可能性はない訳ではない。
【００１８】
次に、本発明の実施形態に係る時計装置は、図４に示すように、放送波又は標準電波などの信号源から現在時刻情報を受け取る電波受信部１と、装置の時刻管理を行う時刻管理部２と、電波受信部１から得られた現在時刻情報と時刻管理部３から得られる装置内の現在時刻情報を用いて、図２に示す上述した方法によってローカル時間設定のオフセット変更を監視、判定を行うローカル時間判定部３と、から構成される。本実施形態によって、夏時間などのローカル時間オフセットの調整を行うことができ、自動的に時計のオフセットは更新される特徴をもつものである。
【００１９】
時計など正確な現在時刻を持っている必要がある機器にとって、夏時間制度の実施などによるローカル時間のオフセット変更は、図３に示すように、機器の設定を通常時刻設定のままにしておくと、実際の時刻と機器の設定時刻とがずれてしまうことになる。即ち、実際の時刻は、信号源からの現在時刻情報であって午前１時５９分の１分経過後には午前３時０分となり、一方、機器の設定時刻は午前１時５９分の１分経過後は午前２時０分となって、時刻にずれが生じることとなる。そこで、信号源からの現在時刻情報に不連続性が表れたときには、ローカル時間オフセット変更を行い、正しい時刻設定を行う必要性がある。
図４に示す時計装置と図２に示すチャート図を参照して、ローカル時間オフセット変更の判定方法を用いた時計装置の動作について説明する。
【００２０】
電波受信部１において、現在時刻情報を放送波又は標準電波などの信号源から得る。また、装置又は機器の現在時刻情報を管理している時刻管理部２からは、時刻情報を取得する。この２つの現在時刻情報を用いて、ローカル時間判定部３において、図２に示す方法を用いてローカル時間オフセット設定の変更の監視を行う。
【００２１】
その結果、ローカル時間オフセット設定に変更があると判断できる場合には、時刻管理部２に、機器のローカル時間オフセット設定の変更があったことを知らせるとともに、機器内の時計のオフセット調整を自動的に行うことで時刻調整を行う。
【００２２】
また、通常、ローカル時間オフセット設定の変更が考えられるのは、各時０分、３０分の場合である。よって、その時間前後において、ローカル時間オフセット変更の判定を行えば、機器の処理負担を少なくすることができる。
【００２３】
本実施形態の構成によって、夏時間などのローカル時間オフセットの調整を行うことができ、自動的に時計は更新されるものである。
【００２４】
【発明の効果】
以上の説明から明らかなように、本発明によれば、信号源の現在時刻情報のみしか得ることができない環境下において、２つの時刻情報の比較結果を利用することでローカル時間オフセット判定ができる。
【００２５】
また、利用者の手動操作によらずに、信号源の現在時刻情報から、ローカル時間の自動オフセット設定変更を行うことができる。即ち、利用者に手間なく正しく調時されていることに利便性を与えることができ、かつ、ローカル時間のオフセット設定が変更されたことを利用者が知り且つ認識することができる。
【図面の簡単な説明】
【図１】信号源からの現在時刻情報に時系列的に不連続部分が生じている状況を示す図である。
【図２】ローカル時間オフセット変更の判定方法について説明するチャート図である。
【図３】時系列的な不連続部分の生じている現在時刻情報と夏時間時刻設定の関係を示す図である。
【図４】ローカル時間オフセット変更の判定方法を用いた時計装置の構成を示す図である。
【符号の説明】
１  電波受信部
２  時刻管理部
３  ローカル時間判定部
【図１】
0003709346.tif 000002
【図２】
0003709346.tif 000003
【図３】
0003709346.tif 000004
【図４】
0003709346.tif 000005